(57)【要約】【課題】アプリケーションごとに対応する表示装置を変えて画面を表示させる際、通信装置と表示装置との接続手順を簡便にする。【解決手段】通信装置１００が、通信装置１００との接続が確立された表示装置２００−１〜２００−４と、表示装置２００−１〜２００−４それぞれに表示画面を表示させるために起動した複数のアプリケーションとを、接続を確立した順番と起動した順番とが同じになるように対応付ける。【選択図】図１
2014175833.tif 000002
【特許請求の範囲】
【請求項１】
接続が確立された複数の表示装置と、該複数の表示装置それぞれに表示画面を表示させるために起動した複数のアプリケーションとを、前記接続を確立した順番と前記起動した順番とが同じになるように対応付ける制御部を有する通信装置。
【請求項２】
請求項１に記載の通信装置において、
前記複数の表示装置との間で通信を行う通信部を有し、
前記制御部は、前記通信部を介して前記接続を確立した表示装置と、前記アプリケーションとを対応させる通信装置。
【請求項３】
請求項２に記載の通信装置において、
前記通信部は、前記表示画面を表示するための画面情報を、該表示画面を表示させるために起動したアプリケーションと対応付けられた表示装置へ送信する通信装置。
【請求項４】
請求項１から３のいずれか１項に記載の通信装置において、
記憶部を有し、
前記制御部は、前記表示装置を識別するための表示装置識別情報と前記アプリケーションを識別するためのアプリケーション識別情報とを対応付けて前記記憶部に記憶させる通信装置。
【請求項５】
請求項１から４のいずれか１項に記載の通信装置において、
前記接続は、近距離無線通信を用いた接続である通信装置。
【請求項６】
複数の表示装置との接続を確立する処理と、
前記複数の表示装置それぞれに表示画面を表示させるために複数のアプリケーションを起動する処理と、
前記複数の表示装置と、前記複数のアプリケーションとを、前記接続を確立した順番と前記起動した順番とが同じになるように対応付ける処理とを行う接続制御方法。
【請求項７】
コンピュータに、
複数の表示装置との接続を確立する手順と、
前記複数の表示装置それぞれに表示画面を表示させるために複数のアプリケーションを起動する手順と、
前記複数の表示装置と、前記複数のアプリケーションとを、前記接続を確立した順番と前記起動した順番とが同じになるように対応付ける手順とを実行させるためのプログラム。
【発明の詳細な説明】
【技術分野】
【０００１】
本発明は、表示装置との接続制御機能を具備する通信装置、接続制御方法およびプログラムに関する。
【背景技術】
【０００２】
近年、液晶や有機ＥＬ（Ｅｌｅｃｔｒｏ  Ｌｕｍｉｎｅｓｃｅｎｃｅ）を用いた発光デバイスの低価格化や、低消費電力化が進んでおり、1人のユーザが複数の表示装置（ディスプレイ）を使用することも容易となってきている。また、表示装置と情報端末等の通信装置との接続方法については、ケーブルを用いないワイヤレス接続方法が普及しつつある。
【０００３】
このような背景から、通信装置である携帯端末と表示装置とを無線接続し、携帯端末で実行しているアプリケーションの画面の画面情報を表示装置へ送信し、画面情報を受信した表示装置に当該画面を表示させる技術が考えられている（例えば、特許文献１参照。）。
【先行技術文献】
【特許文献】
【０００４】
【特許文献１】特開２０１１−１７６５９１号公報
【発明の概要】
【発明が解決しようとする課題】
【０００５】
特許文献１に記載された技術においては、起動するアプリケーションが複数あり、表示装置が複数ある場合、アプリケーションごとに対応する表示装置を変えて画面を表示させようとすると、通信装置と表示装置との接続手順が複雑になってしまうという問題点がある。
【０００６】
本発明の目的は、上述した課題を解決する通信装置、接続制御方法およびプログラムを提供することである。
【課題を解決するための手段】
【０００７】
本発明の通信装置は、
接続が確立された複数の表示装置と、該複数の表示装置それぞれに表示画面を表示させるために起動した複数のアプリケーションとを、前記接続を確立した順番と前記起動した順番とが同じになるように対応付ける制御部を有する。
【０００８】
また、本発明の接続制御方法は、
複数の表示装置との接続を確立する処理と、
前記複数の表示装置それぞれに表示画面を表示させるために複数のアプリケーションを起動する処理と、
前記複数の表示装置と、前記複数のアプリケーションとを、前記接続を確立した順番と前記起動した順番とが同じになるように対応付ける処理とを行う。
【０００９】
また、本発明のプログラムは、
コンピュータに実行させるためのプログラムであって、
複数の表示装置との接続を確立する手順と、
前記複数の表示装置それぞれに表示画面を表示させるために複数のアプリケーションを起動する手順と、
前記複数の表示装置と、前記複数のアプリケーションとを、前記接続を確立した順番と前記起動した順番とが同じになるように対応付ける手順とを実行させる。
【発明の効果】
【００１０】
以上説明したように、本発明においては、アプリケーションごとに対応する表示装置を変えて画面を表示させる際、通信装置と表示装置との接続手順を簡便にすることができる。
【図面の簡単な説明】
【００１１】
【図１】第１の実施の形態における通信装置が用いられたシステムの一例を示す図である。
【図２】図１に示した通信装置の内部構成の一例を示す図である。
【図３】図２に示した制御部が行った対応付けの一例を示す図である。
【図４】図１に示した表示装置の内部構成の一例を示す図である。
【図５】図１に示した通信装置における接続制御方法の一例を説明するためのフローチャートである。
【図６】第２の実施の形態における通信装置が用いられたシステムの一例を示す図である。
【図７】図６に示した通信装置の内部構成の一例を示す図である。
【図８】図７に示した記憶部が記憶している対応付けの一例を示す図である。
【図９】図６に示した通信装置における接続制御方法の一例を説明するためのフローチャートである。
【図１０】図９に示したフローチャートを用いて説明した処理Ａの詳細な処理の一例を示す図である。
【図１１】図９に示したフローチャートを用いて説明した処理Ｂの詳細な処理の一例を示す図である。
【図１２】本形態における接続制御方法を説明するためのフローチャートである。
【発明を実施するための形態】
【００１２】
以下に、本発明の実施の形態について図面を参照して説明する。
（第１の実施の形態）
図１は、第１の実施の形態における通信装置が用いられたシステムの一例を示す図である。
【００１３】
本システムには図１に示すように、通信装置１００と、表示装置２００−１〜２００−４とが設けられている。通信装置１００は、表示装置２００−１〜２００−４それぞれとの接続を確立する。この接続には、通信距離が１０ｃｍ程度の無線通信である近距離無線通信（例えば、ＮＦＣ（Ｎｅａｒ  Ｆｉｅｌｄ  Ｃｏｍｍｕｎｉｃａｔｉｏｎ））が用いられる。ＮＦＣとして、ＲＦＩＤ（Ｒａｄｉｏ  Ｆｒｅｑｕｅｎｃｙ  ＩＤｅｎｔｉｆｉｃａｔｉｏｎ）や、Ｂｌｕｅｔｏｏｔｈ（登録商標）等が挙げられる。また、接続の手順については、接続に用いる技術の規定やその通信プロトコル等に従うものである。表示装置２００−１〜２００−４は、通信装置１００との接続が確立された後、通信装置１００におけるアプリケーションの実行に伴い、表示画面を表示する。なお、図１には、表示装置が４台である場合を例に示しているが、その台数は規定しない。
【００１４】
図２は、図１に示した通信装置１００の内部構成の一例を示す図である。
【００１５】
図１に示した通信装置１００には図２に示すように、制御部１１０が設けられている。なお、図２には、図１に示した通信装置１００に設けられた構成要素のうち、本実施の形態に関わる主要な構成要素の一例を示す。
【００１６】
制御部１１０は、表示装置２００−１〜２００−４それぞれとの間で接続を確立する。また、制御部１１０は、表示装置２００−１〜２００−４それぞれに表示画面を表示させるためアプリケーションを起動する。また、制御部１１０は、接続が確立された表示装置２００−１〜２００−４と、起動した複数のアプリケーションとを、接続を確立した順番とアプリケーションを起動した順番とが同じになるように対応付ける。
【００１７】
図３は、図２に示した制御部１１０が行った対応付けの一例を示す図である。
【００１８】
図３に示すように、通信装置１００が、表示装置Ａ〜Ｄそれぞれとの間の接続を、表示装置Ａ、表示装置Ｂ、表示装置Ｃ、表示装置Ｄの順番で確立したとする。また、その後、通信装置１００が、アプリケーションＡ〜Ｄを、アプリケーションＤ、アプリケーションＡ、アプリケーションＢ、アプリケーションＣの順番で起動したとする。制御部１１０は、接続の確立の順番と、アプリケーションの起動の順番とが同じになるように、表示装置Ａ〜ＤとアプリケーションＡ〜Ｄとを対応付ける。具体的には、制御部１１０は、１番目に接続を確立した表示装置Ａと、１番目に起動したアプリケーションＤとを対応付ける。また、制御部１１０は、２番目に接続を確立した表示装置Ｂと、２番目に起動したアプリケーションＡとを対応付ける。また、制御部１１０は、３番目に接続を確立した表示装置Ｃと、３番目に起動したアプリケーションＢとを対応付ける。また、制御部１１０は、４番目に接続を確立した表示装置Ｄと、４番目に起動したアプリケーションＣとを対応付ける。
【００１９】
図４は、図１に示した表示装置２００−１の内部構成の一例を示す図である。なお、図２には、図１に示した表示装置２００−１に設けられた構成要素のうち、本実施の形態に関わる主要な構成要素の一例を示す。また、図１に示した表示装置２００−２〜２００−４の内部構成については、表示装置２００−１の内部構成と同様である。
【００２０】
図１に示した表示装置２００−１には図４に示すように、通信部２１０と、表示部２２０とが設けられている。
【００２１】
通信部２１０は、通信装置１００との間で、通信を確立し、情報の送受信を行う。
【００２２】
表示部２２０は、通信部２１０が受信した情報（例えば、表示画面を表示するための画面情報等）に基づいて、表示画面を表示するＬＣＤ（Ｌｉｑｕｉｄ  Ｃｒｙｓｔａｌ  Ｄｉｓｐｌａｙ）等のディスプレイである。
【００２３】
以下に、本形態における接続制御方法について説明する。
【００２４】
図５は、図１に示した通信装置１００における接続制御方法の一例を説明するためのフローチャートである。
【００２５】
まず、制御部１１０は、通信装置１００と表示装置２００−１〜２００−４それぞれとの接続を確立する（ステップＳ１）。また、制御部１１０は、表示装置２００−１〜２００−４それぞれに表示画面を表示させるためのアプリケーションを起動する（ステップＳ２）。なお、ステップＳ１の処理とステップＳ２の処理とは、どちらが先に行われても良い。
【００２６】
続いて、制御部１１０は、接続が確立された表示装置２００−１〜２００−４と、起動した複数のアプリケーションとを、接続を確立した順番とアプリケーションを起動した順番とが同じになるように対応付ける（ステップＳ３）。この対応付けは、例えば、図３に示したものになる。
【００２７】
このように、接続を確立した順番とアプリケーションを起動した順番とが同じになるように対応付けることで、アプリケーションごとに対応する表示装置を変えて画面を表示させる際、どの表示装置へどのアプリケーションの実行に伴う表示画面を表示させる画面情報を送信すれば良いかを容易に判断することができる。
（第２の実施の形態）
図６は、第２の実施の形態における通信装置が用いられたシステムの一例を示す図である。
【００２８】
本システムには図６に示すように、通信装置１０１と、表示装置２００−１〜２００−４とが設けられている。通信装置１０１は、表示装置２００−１〜２００−４それぞれとの接続を確立する。この接続には、第１の実施の形態と同様に、近距離無線通信が用いられる。また、接続の手順についても、第１の実施の形態と同様である。表示装置２００−１〜２００−４は、図１に示したものと同じもので良い。なお、図６には、表示装置が４台である場合を例に示しているが、その台数は規定しない。
【００２９】
図７は、図６に示した通信装置１０１の内部構成の一例を示す図である。
【００３０】
図６に示した通信装置１０１には図７に示すように、制御部１１１と、通信部１２０と、記憶部１３０とが設けられている。なお、図７には、図６に示した通信装置１０１に設けられた構成要素のうち、本実施の形態に関わる主要な構成要素の一例を示す。
【００３１】
制御部１１１は、通信部１２０を介して表示装置２００−１〜２００−４それぞれとの間で接続を確立する。また、制御部１１１は、表示装置２００−１〜２００−４それぞれに表示画面を表示させるためアプリケーションを起動する。このアプリケーションは、通信装置１０１が外部から取得するものであっても良いし、記憶部１３０にあらかじめ記憶されているものであっても良い。また、制御部１１１は、接続が確立された表示装置２００−１〜２００−４と、起動した複数のアプリケーションとを、接続を確立した順番とアプリケーションを起動した順番とが同じになるように対応付ける。制御部１１１は、この対応付けを記憶部１３０に書き込む。
【００３２】
通信部１２０は、表示装置２００−１〜２００−４それぞれとの間で通信を行う。この通信には、上述したような近距離無線通信が用いられる。また、通信部１２０は、制御部１１１が起動したアプリケーションの実行に伴い、表示装置２００−１〜２００−４それぞれに表示画面を表示させるための画面情報を表示装置２００−１〜２００−４へ送信する。このとき、通信部１２０は、記憶部１３０に記憶された対応付けにおいて、当該表示画面を表示させるために起動したアプリケーションと対応付けられた表示装置へ画面情報を送信する。
【００３３】
記憶部１３０は、制御部１１１が書き込んだ対応付けを記憶する。また、記憶部１３０は、複数のアプリケーションのデータや、処理に必要なデータ等を記憶する。
【００３４】
図８は、図７に示した記憶部１３０が記憶している対応付けの一例を示す図である。
【００３５】
図７に示した記憶部１３０には図８に示すように、順番と、制御部１１１が起動したアプリケーションを識別するためのアプリケーション識別情報（アプリケーション固有に付与された情報）と、制御部１１１が通信部１２０を介して接続を確立した表示装置を識別するための表示装置識別情報（表示装置固有に付与された情報）とが対応付けられて記憶されている。
【００３６】
図８に示した例では、順番「１」と、アプリケーション識別情報「アプリケーションＤ」と、表示装置識別情報「表示装置Ａ」とが対応付けられて記憶部１３０に記憶されている。これは、アプリケーションＤが１番目に起動したアプリケーションであり、表示装置Ａが１番目に接続が確立された表示装置であることを示している。また、順番「２」と、アプリケーション識別情報「アプリケーションＡ」と、表示装置識別情報「表示装置Ｂ」とが対応付けられて記憶部１３０に記憶されている。これは、アプリケーションＡが２番目に起動したアプリケーションであり、表示装置Ｂが２番目に接続が確立された表示装置であることを示している。また、順番「３」と、アプリケーション識別情報「アプリケーションＢ」と、表示装置識別情報「表示装置Ｃ」とが対応付けられて記憶部１３０に記憶されている。これは、アプリケーションＢが３番目に起動したアプリケーションであり、表示装置Ｃが３番目に接続が確立された表示装置であることを示している。また、順番「４」と、アプリケーション識別情報「アプリケーションＣ」と、表示装置識別情報「表示装置Ｄ」とが対応付けられて記憶部１３０に記憶されている。これは、アプリケーションＣが４番目に起動したアプリケーションであり、表示装置Ｄが４番目に接続が確立された表示装置であることを示している。
【００３７】
以下に、本形態における接続制御方法について説明する。
【００３８】
図９は、図６に示した通信装置１０１における接続制御方法の一例を説明するためのフローチャートである。
【００３９】
まず、表示装置２００−１〜２００−４との接続開始前に、制御部１１１は、アプリケーションの指定があったかどうかを判定する（ステップＳ１１）。この判定は、利用者の所定の操作に基づいた入力を制御部１１１が受け付けたかどうかに基づいて行われる。例えば、通信装置１０１に設けられたタッチパネル（不図示）にアプリケーションのアイコンを表示させ、そのアイコン対して、利用者が所定のタッチ操作を行ったことを制御部１１１が受け付けると、制御部１１１はアプリケーションの指定があったと判定するものであっても良い。また、通信装置１０１に設けられた他の入力手段（例えば、ボタンキー等）を用いて、アプリケーションの指定を制御部１１１が受け付けると、制御部１１１はアプリケーションの指定があったと判定するものであっても良い。
【００４０】
制御部１１１が、アプリケーションの指定がなかったと判定した場合、制御部１１１は所定の処理（以下、処理Ａと称する）を行う（ステップＳ１２）。一方、制御部１１１が、アプリケーションの指定があったと判定した場合、制御部１１１は所定の処理（以下、処理Ｂと称する）を行う（ステップＳ１３）。
【００４１】
図１０は、図９に示したフローチャートを用いて説明した処理Ａの詳細な処理の一例を示す図である。
【００４２】
制御部１１１が、アプリケーションの指定がなかったと判定した場合、制御部１１１は、通信部１２０を介して通信装置１０１と表示装置との接続を確立する（ステップＳ１２１）。制御部１１１は、他に表示装置があるかどうかを判定し（ステップＳ１２２）、ある場合は、接続が未確立の表示装置との接続を確立する。
【００４３】
また、制御部１１１は、表示装置２００−１〜２００−４それぞれに表示画面を表示させるためのアプリケーションを起動する（ステップＳ１２３）。
【００４４】
続いて、制御部１１１は、接続が確立された表示装置２００−１〜２００−４と、起動した複数のアプリケーションとを、接続を確立した順番とアプリケーションを起動した順番とが同じになるように対応付ける（ステップＳ１２４）。制御部１１１は、この対応付けを記憶部１３０に書き込む。
【００４５】
続いて、制御部１１１は、起動したアプリケーションの実行に伴い表示画面を表示させる表示装置を特定する（ステップＳ１２５）。このとき、制御部１１１は、記憶部１３０が記憶している対応付けにおいて、起動したアプリケーションのアプリケーション識別情報と対応付けられている表示装置識別情報が付与された表示装置を、表示画面を表示させる表示装置として特定する。
【００４６】
そして、制御部１１１は、通信部１２０を介して、当該表示画面を表示させるための画面情報を、特定した表示装置へ送信する（ステップＳ１２６）。画面情報を受信した表示装置は、当該画面情報に基づいて表示画面を表示する。
【００４７】
図１１は、図９に示したフローチャートを用いて説明した処理Ｂの詳細な処理の一例を示す図である。
【００４８】
制御部１１１が、アプリケーションの指定があったと判定した場合、制御部１１１は、指定されたアプリケーションを起動する（ステップＳ１３１）。そして、制御部１１１は、表示装置を特定し（ステップＳ１３２）、通信部１２０を介して通信装置１０１と特定した表示装置との接続を確立する（ステップＳ１３３）。制御部１１１は、接続を確立した表示装置と起動したアプリケーションとを対応付ける。制御部１１１は、この対応付けを記憶部１３０に書き込んでも良い。
【００４９】
その後、制御部１１１は、他に表示装置があるかどうかを判定し（ステップＳ１３４）、ある場合は、指定されたアプリケーションの指定の解除が行われたかどうかを判定する（ステップＳ１３５）。例えば、タッチパネルに表示されたアプリケーションのアイコンへのタッチ操作が継続して行われていることを制御部１１１が受け付けている場合、制御部１１１がアプリケーションの指定の解除が行われていないと判定する。制御部１１１は、この指定されたアプリケーションの指定の解除が行われたかどうかの判定結果を記憶部１３０に書き込んでおく。その後、制御部１１１は、他の表示装置に対してステップＳ１３２，Ｓ１３３の処理を行う。
【００５０】
制御部１１１は、他の複数の表示装置に対して、ステップＳ１３２，Ｓ１３３の処理を行った後、制御部１１１は、当該アプリケーションの実行に伴い表示画面を表示させるための画面情報を、通信部１２０を介して、接続が確立された表示装置へ送信する（ステップＳ１３６）。このとき、制御部１１１は、ステップＳ１３５にて記憶部１３０に書き込んでおいた判定結果に基づいた画面情報を、通信部１２０を介して表示装置へ送信する。具体的には、判定結果が、アプリケーションの指定の解除が行われていないと判定されたものである場合、制御部１１１は、接続が確立された複数の表示装置を連結して当該アプリケーションの実行に伴い表示画面を表示させるための画面情報を、通信部１２０を介して、接続が確立された表示装置へ送信する。画面情報を受信した複数の表示装置は、当該画面情報に基づいて表示画面を連結して表示する。
【００５１】
一方、判定結果が、アプリケーションの指定の解除が行われたと判定されたものである場合は、制御部１１１は、指定されたアプリケーションと、接続が確立された表示装置とを対応付け、アプリケーションと対応付けられた表示装置へ画面情報を、通信部１２０を介して送信する。画面情報を受信した表示装置は、当該画面情報に基づいて表示画面を表示する。なお、その後、同じアプリケーションが指定された場合は同じ画面情報を複数の表示装置へ送信し、当該画像情報を受信した複数の表示装置が互いに同じ表示画面を表示するものであっても良い。この場合も複数の表示装置が連結して表示を行っても良い。
【００５２】
このように、制御部１１１が、通信部１２０を介して接続を確立した順番とアプリケーションを起動した順番とが同じになるように対応付けて記憶部１３０に記憶させておき、記憶部１３０に記憶されている対応付けに基づいて、アプリケーションの実行に伴う表示画面を表示させる表示装置を特定する。これにより、アプリケーションごとに対応する表示装置を変えて画面を表示させる際、どの表示装置へどのアプリケーションの実行に伴う表示画面を表示させる画面情報を送信すれば良いかを容易に判断することができる。
（第３の実施の形態）
他の形態として、通信装置１０１が表示装置２００−１〜２００−４との接続を確立した際、表示装置２００−１〜２００−４の表示部２２０の大きさなどを示す表示サイズ情報を取得し、取得した表示サイズ情報に基づいて、表示画面を表示させる表示装置２００−１〜２００−４を特定するものであっても良い。
【００５３】
図１２は、本形態における接続制御方法を説明するためのフローチャートである。なお、通信装置１０１の形態は、図７に示した第２の実施の形態と同じである。
【００５４】
まず、制御部１１１は、通信部１２０を介して通信装置１０１と表示装置との接続を確立する（ステップＳ２１）。その際、制御部１１１は、通信部１２０を介して、表示装置から表示部２２０の大きさなどを示す表示サイズ情報を取得する（ステップＳ２２）。この取得方法は、制御部１１１が、通信部１２０を介して表示サイズ情報を要求する信号を表示装置へ送信し、その応答として表示装置から送信されてきた表示サイズ情報を受信するものでも良く、ここでは特に規定しない。
【００５５】
その後、制御部１１１は、他に表示装置があるかどうかを判定し（ステップＳ２３）、ある場合は、接続が未確立の表示装置との接続を確立し、表示サイズ情報を取得する。
【００５６】
また、制御部１１１は、表示装置２００−１〜２００−４それぞれに表示画面を表示させるためのアプリケーションを起動する（ステップＳ２４）。
【００５７】
続いて、制御部１１１は、接続が確立された表示装置２００−１〜２００−４と、起動した複数のアプリケーションとを、表示装置２００−１〜２００−４の表示サイズ情報に基づいて対応付ける（ステップＳ２５）。例えば、制御部１１１は、接続が確立された表示装置２００−１〜２００−４のうち、表示サイズ情報が示す表示部２２０の大きさが最も大きな表示装置と、起動したアプリケーションのうち、実行に伴う表示画面が最も広い領域を必要とするアプリケーションとを対応付ける。また、制御部１１１は、接続が確立された表示装置２００−１〜２００−４のうち、表示サイズ情報が示す表示部２２０の大きさが最も小さな表示装置と、起動したアプリケーションのうち、実行に伴う表示画面が最も狭い領域しか必要としないアプリケーションとを対応付ける。この領域の広さの判別は、表示部２２０におけるアプリケーションの実行に伴う表示画面そのものの占有率や、当該表示画面における文字の大きさ等に基づいて判別されるものであっても良い。制御部１１１は、この対応付けを記憶部１３０に書き込む。
【００５８】
続いて、制御部１１１は、起動したアプリケーションの実行に伴い、表示画面を表示させる表示装置を特定する（ステップＳ２６）。このとき、制御部１１１は、記憶部１３０が記憶している対応付けにおいて、起動したアプリケーションのアプリケーション識別情報と対応付けられている表示装置識別情報が付与された表示装置を、表示画面を表示させる表示装置として特定する。
【００５９】
そして、制御部１１１は、通信部１２０を介して、当該表示画面を表示させるための画面情報を、特定した表示装置へ送信する（ステップＳ２７）。画面情報を受信した表示装置は、当該画面情報に基づいて表示画面を表示する。
【００６０】
このように、制御部１１１が、表示装置の表示部２２０の大きさと、アプリケーションの実行に伴う表示画面が必要とする表示領域の広さとに基づいて、表示装置とアプリケーションとをに対応付けて記憶部１３０に記憶させておき、記憶部１３０に記憶されている対応付けに基づいて、アプリケーションの実行に伴う表示画面を表示させる表示装置を特定する。これにより、アプリケーションごとに対応する表示装置を変えて画面を表示させる際、どの表示装置へどのアプリケーションの実行に伴う表示画面を表示させる画面情報を送信すれば良いかを容易に判断することができ、且つ、アプリケーションに適した表示装置で表示画面を表示することができる。
【００６１】
なお、上述した通信装置１００，１０１は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機、デジタルカメラ等の電子機器である。
【００６２】
また、上述した通信装置１００，１０１それぞれに設けられた各構成要素が行う処理は、目的に応じてそれぞれ作製された論理回路で行うようにしても良い。また、処理内容を手順として記述したコンピュータプログラム（以下、プログラムと称する）を通信装置１００，１０１それぞれにて読取可能な記録媒体に記録し、この記録媒体に記録されたプログラムを通信装置１００，１０１それぞれに読み込ませ、実行するものであっても良い。通信装置１００，１０１それぞれにて読取可能な記録媒体とは、フロッピー（登録商標）ディスク、光磁気ディスク、ＤＶＤ、ＣＤなどの移設可能な記録媒体の他、通信装置１００，１０１それぞれに内蔵されたＲＯＭ、ＲＡＭ等のメモリやＨＤＤ等を指す。この記録媒体に記録されたプログラムは、通信装置１００，１０１それぞれに設けられた制御部１１０，１１１にて読み込まれ、制御部１１０，１１１それぞれの制御によって、上述したものと同様の処理が行われる。ここで、制御部１１０，１１１それぞれは、プログラムが記録された記録媒体から読み込まれたプログラムを実行するコンピュータとして動作するものである。
【００６３】
上記の実施の形態の一部または全部は、以下の付記のようにも記載され得るが、以下には限られない。
（付記１）接続が確立された複数の表示装置と、該複数の表示装置それぞれに表示画面を表示させるために起動した複数のアプリケーションとを、前記接続を確立した順番と前記起動した順番とが同じになるように対応付ける制御部を有する通信装置。
（付記２）前記複数の表示装置との間で通信を行う通信部を有し、
前記制御部は、前記通信部を介して前記接続を確立した表示装置と、前記アプリケーションとを対応させる、付記１に記載の通信装置。
（付記３）前記通信部は、前記表示画面を表示するための画面情報を、該表示画面を表示させるために起動したアプリケーションと対応付けられた表示装置へ送信する、付記２に記載の通信装置。
（付記４）記憶部を有し、
前記制御部は、前記表示装置を識別するための表示装置識別情報と前記アプリケーションを識別するためのアプリケーション識別情報とを対応付けて前記記憶部に記憶させる、付記１から３のいずれか１項に記載の通信装置。
（付記５）前記接続は、近距離無線通信を用いた接続である、付記１から４のいずれか１項に記載の通信装置。
（付記６）複数の表示装置との接続を確立する処理と、
前記複数の表示装置それぞれに表示画面を表示させるために複数のアプリケーションを起動する処理と、
前記複数の表示装置と、前記複数のアプリケーションとを、前記接続を確立した順番と前記起動した順番とが同じになるように対応付ける処理とを行う接続制御方法。
（付記７）コンピュータに、
複数の表示装置との接続を確立する手順と、
前記複数の表示装置それぞれに表示画面を表示させるために複数のアプリケーションを起動する手順と、
前記複数の表示装置と、前記複数のアプリケーションとを、前記接続を確立した順番と前記起動した順番とが同じになるように対応付ける手順とを実行させるためのプログラム。
【符号の説明】
【００６４】
１００，１０１    通信装置
１１０，１１１    制御部
１２０，２１０    通信部
１３０    記憶部
２００−１〜２００−４    表示装置
２２０    表示部
【図１】
2014175833.tif 000003
【図２】
2014175833.tif 000004
【図３】
2014175833.tif 000005
【図４】
2014175833.tif 000006
【図５】
2014175833.tif 000007
【図６】
2014175833.tif 000008
【図７】
2014175833.tif 000009
【図８】
2014175833.tif 000010
【図９】
2014175833.tif 000011
【図１０】
2014175833.tif 000012
【図１１】
2014175833.tif 000013
【図１２】
2014175833.tif 000014